(57)【要約】【課題】走行速度パターンＳに沿った運転がより行いやすくなる車両運転モード表示装置２を提供する。【課題を解決するための手段】  許容幅Ｈ内で車両が運転されている場合において、下記第１条件又は第２条件を満たすかどうかを判断し、満たしたときにワーニングを発するようにした。  第１条件：前記走行速度パターンが示す基準速度と前記車速との差が時間経過に連れて広がる場合。  第２条件：現時点での加速度を維持したと仮定したときに、車速が前記許容幅を所定の許容時間内に超える場合。【選択図】図３
2015064203.tif 000002
【特許請求の範囲】
【請求項１】
各軸に時間と車速とをそれぞれとったグラフ上に、走行速度パターン、該走行速度パターンの許容幅及び現時点での車速を表すようにした画面を有する車両運転モード表示装置において、
前記許容幅内で車両が運転されている場合において、下記第１条件又は第２条件を満たすかどうかを判断し、満たしたときにワーニングを発することを特徴とする車両運転モード表示装置。
第１条件：前記走行速度パターンが示す基準速度と前記車速との差が時間経過に連れて広がる場合。
第２条件：現時点での加速度を維持したと仮定したときに、車速が前記許容幅を所定の許容時間内に超える場合。
【請求項２】
前記第１条件は、第１の時刻における実加速度及び走行速度パターンから求められる基準加速度の差よりも、前記第１の時刻から所定時間経過した第２の時刻における実加速度及び走行速度パターンから求められる基準加速度との差の方が大きい場合である請求項１記載の車両運転モード表示装置。
【請求項３】
前記第２条件は、第１の時刻における実加速度を維持した場合に、実車速が前記許容幅を超えるまでに要する予測時間が、前記許容時間を下回った場合である請求項１記載の車両運転モード表示装置。
【請求項４】
前記車速が、前記許容幅内でかつ走行速度パターンが示す基準速度よりも所定値だけ高い速度である上限判断開始速度と、前記許容範囲内でかつ走行速度パターンが示す基準速度よりも所定値だけ低い速度である下限判断開始速度との間に維持されている場合は、前記判断は行わない請求項１記載の車両モード表示装置。
【請求項５】
前記グラフにおける現時点を中心にした前後所定時間内の特定領域を、車速軸方向に拡大して表示するものであることを特徴とする請求項１乃至４いずれか記載の車両モード表示装置。
【請求項６】
現時点での走行速度パターンがグラフの車速軸幅における中心近傍となるように、グラフの車速軸をスクロールする又はスクロール可能なものであることを特徴とする請求項１乃至５いずれか記載の車両モード表示装置。
【請求項７】
前記特定領域に表示される走行速度パターンと、該特定領域の未来側に隣接する通常表示領域での走行速度パターンとが連続するように、該特定領域が拡大されていることを特徴とする請求項５記載の車両モード表示装置。
【請求項８】
各軸に時間と車速とをそれぞれとったグラフ上に、走行速度パターン、該走行速度パターンの許容幅及び現時点での車速を表すようにした画面を表示するとともに、前記許容幅内で車両が運転されている場合において、下記第１条件又は第２条件を満たすかどうかを判断し、満たしたときにワーニングを発する機能を車両運転モード表示装置に発揮させることを特徴とする車両運転モード表示装置。
第１条件：前記走行速度パターンが示す基準速度と前記車速との差が時間経過に連れて広がる場合。
第２条件：現時点での加速度を維持したと仮定したときに、車速が前記許容幅を所定の許容時間内に超える場合。
【発明の詳細な説明】
【技術分野】
【０００１】
本発明は、自動車などの車両をモード運転試験する際に用いる車両運転モード表示装置に関するものである。
【背景技術】
【０００２】
シャシダイナモ装置を用いて行われる車両のモード運転試験では、運転モード表示装置が利用される。この運転モード表示装置は、特許文献１に示すように、運転モードによって予め定められた走行速度パターン上に現在の実速度を表示し、テストドライバーが走行速度パターン通りに車両を運転する補助を行うものである。
【０００３】
この走行速度パターンは、時間と車速とを各軸にそれぞれとったグラフ上に表されるが、この走行速度パターンには許容幅（例えば±１ｋｍ／ｈ、以下、トレランス領域とも言う。）があり、そのトレランス領域もグラフ上に同時に表されるので、テストドライバーは、このトレランス領域内に実車速が収まるように車両を運転する。
【０００４】
しかしながら、従来、実車速が許容幅を超えたときにテストドライバーにワーニング（警告）を出していたが、これは、継続して許容幅を超えたことに対する警告にはなるが、許容幅を超えること自体を回避することにはならない。
【先行技術文献】
【特許文献】
【０００５】
【特許文献１】特開平１１−１６０２０３号公報
【発明の概要】
【発明が解決しようとする課題】
【０００６】
本発明は、かかる不具合に鑑みてなされたものであって、その主たる所期課題は、許容幅を超えることを未然に防止し、テストドライバーがより容易に運転できるようになる車両運転モード表示装置を提供することにある。
【課題を解決するための手段】
【０００７】
すなわち本発明に係る車両モード表示装置は、各軸に時間と車速とをそれぞれとったグラフ上に、走行速度パターン、該走行速度パターンの許容幅及び現時点での車速を表すようにした画面を有する車両運転モード表示装置において、前記許容幅内で車両が運転されている場合において、下記第１条件又は第２条件を満たすかどうかを判断し、満たしたときにワーニングを発することを特徴とするものである。
第１条件：前記走行速度パターンが示す基準速度と前記車速との差が時間経過に連れて広がる場合。
第２条件：現時点での加速度を維持したと仮定したときに、車速が前記許容幅を所定の許容時間内に超える場合。
【０００８】
このようなものであれば、従来、実車速が許容幅を超えたときにテストドライバーにワーニング（警告）を出していたものの、許容幅を超えたことに対する警告にはなるが、許容幅を超えること自体を回避することにはならなかったところ、許容幅内で車両が運転されている場合において、許容幅を超えると予測される所定条件が満たされたときにワーニングを発するようにしているため、許容幅を超えることを未然に防止し、テストドライバーがより容易に運転できるようになる。
【０００９】
より具体的な第１条件としては、所定の第１の時刻における実加速度及び走行速度パターンから求められる基準加速度の差よりも、前記第１の時刻から所定時間経過した第２の時刻における実加速度及び走行速度パターンから求められる基準加速度との差の方が大きい場合を挙げることができる。
【００１０】
第２条件としては、第１の時刻における実加速度を維持した場合に、実車速が前記許容幅を超えるまでに要する予測時間が、前記許容時間を下回った場合を挙げることができる。
【００１１】
前記車速が、前記許容幅内でかつ走行速度パターンが示す基準速度よりも所定値だけ高い速度である上限判断開始速度と、前記許容範囲内でかつ走行速度パターンが示す基準速度よりも所定値だけ低い速度である下限判断開始速度との間に維持されている場合は、前記判断は行わないように構成したものであれば、上限判断開始速度を超える、又は、下限判断開始速度を下回ったときのみ、ワーニングに係る判断を行うので、これらの判断開始速度の値を変更することによってテストドライバー（ユーザ）の好みに合うワーニングタイミングやワーニング頻度にチューニングすることができる。
【００１２】
一方、従来、ヨーロッパ法規による走行速度パターンには、最高速度が１２０ｋｍ／ｈにもなるものがあるが、その場合に、その最高速度に合わせてグラフ車速軸のフルスケールが大きく取られる結果、グラフに表示されるトレランス領域が非常に細くなってしまい、テストドライバーにとって見づらくなるという不具合が生じている。
【００１３】
このような不具合を改善するには、前記グラフにおける現時点を中心にした前後所定時間内の特定領域を、車速軸方向に拡大して表示するようにしたものが好ましい。
なぜならば、走行速度パターンの最高速が大きい場合などの理由から車速軸のフルスケールが大きくなって、相対的に走行速度パターンの許容幅が狭く表示されても、現時点を中心にした前後所定時間範囲内の特定領域においては、グラフが車速軸方向に拡大されて許容幅が大きく表示され、テストドライバーにとって走行速度パターンに沿った運転を行いやすくなるからである。
【００１４】
最高速度又は最低速度付近になると、走行速度パターンがグラフの端部に表示されるようになるが、その部分を単純に拡大すると、許容幅が切れて部分的に表示できなくなる場合がある。このような事態を回避するには、現時点での走行速度パターンがグラフの車速軸幅における中心近傍となるように、車速軸をスクロールする又はスクロール可能に構成したものが好ましい。
【００１５】
前記特定領域に表示される走行速度パターンと、該特定領域の未来側に隣接して表示される通常表示領域での走行速度パターンとが連続するように、該特定領域が拡大されていれば、特定領域において、現時点から未来に向かって延びる走行速度パターンが通常表示領域との境界部分でも連続して段差が生じないため、テストドライバーにとって走行速度パターンの今後の変化を直感的に把握しやすくなり、運転がより容易になる。
【発明の効果】
【００１６】
このように構成した本発明によれば、許容幅内で車両が運転されている場合において、許容幅を超えると予測される所定条件が満たされたときにワーニングを発するようにしているため、許容幅を超えることを未然に防止し、テストドライバーがより容易に運転できるようになる。
【図面の簡単な説明】
【００１７】
【図１】本実施形態の車両試験システムの全体構成を示す模式図。
【図２】本実施形態の運転モード表示装置に表示される画面の一例を示す画面図。
【図３】本実施形態の運転モード表示装置に表示される画面の一例を示す画面図。
【図４】本実施形態の運転モード表示装置に表示される画面の一例を示す画面図。
【図５】本実施形態の運転モード表示装置において、ワーニングを発する条件を説明するための説明図。
【図６】本実施形態の運転モード表示装置において、ワーニングを発する条件を説明するための説明図。
【図７】本実施形態の運転モード表示装置において、ワーニングを発する条件を説明するための説明図。
【図８】本実施形態の運転モード表示装置において、ワーニングを発する条件を説明するための説明図。
【図９】本実施形態の運転モード表示装置において、ワーニングを発する条件を説明するための説明図。
【発明を実施するための形態】
【００１８】
以下に本発明に係る運転モード表示装置の一実施形態について、図面を参照して説明する。
【００１９】
本運転モード表示装置２は、車両試験システム１００に用いられるものである。
まず、この車両試験システム１００の概要から説明する。
車両試験システム１００は、セルと称される室内で自動車を所定の運転モードで走行試験し、そのときの排ガス分析や燃費測定等を行うためもので、図１にその全体構成を示すように、互いに気密に区画された計測室とテスト室とに分かれて配置された、シャシダイナモ装置１、排ガス測定装置３、測定管理装置４、運転モード表示装置２等を備えている。
【００２０】
シャシダイナモ装置１は、例えば１軸式のもので、車両Ｖの駆動輪を載せる回転ドラム１１等を有するダイナモ本体１ｂと、ドラムを制御して車両Ｖに路上と同様な走行負荷を与えるダイナモ制御装置１ａとを具備するものである。このダイナモ制御装置１ａは、例えばＣＰＵ、メモリ等からなるコンピュータシステムを利用して構成してあり、外部との間で制御信号やデータ等を相互に通信できる機能を有する。なお、この図１では２ＷＤ、ＦＦ車用のものを示しているが、もちろん４ＷＤに対応できるように回転ドラムを前後に一対備えたものでも構わないし、２軸式のもので構わないのは言うまでもない。
【００２１】
排ガス測定装置３は、測定原理の異なる複数のガス分析計を搭載しており、エンジン排ガス中に含まれるＨＣ、ＮＯＸ、ＣＯ、ＣＯ２等の各成分を各別に連続測定することが可能なものである。なお本実施形態では、排ガスを大気で希釈し希釈された排ガスをサンプルガスとして一定の容量でサンプリングする排ガス定容量試料採取装置５と組み合わせることにより、単位走行距離あたりのＣＯ、ＨＣ、ＮＯなどの重量測定も行えるように構成してある。この排ガス測定装置３は、ＣＰＵ、メモリ等を利用して構成したコンピュータシステムを備え、外部との間で制御信号やデータ等を相互に通信できる機能を有する。
【００２２】
測定管理装置４は、例えばＣＰＵ、メモリ、通信ポートなどからなる本体部と、ディスプレイ、入力手段等からなるコンソールとを備えたコンピュータシステムである。そして、前記ダイナモ制御装置１ａや排ガス測定装置３との間で、ＬＡＮ等のネットワークＮＴを介してデータの授受を行い、ダイナモ制御装置１ａや排ガス測定装置３あるいは他の機器（車両冷却用ファン６、車両情報取得装置７、排ガス吸引用ブロワ５１、室内空調等）の統括的な制御やデータ取得を行うことができるようにしてある。
【００２３】
具体的説明すると、この測定管理装置４の本体部には、各機器（機器とは装置、あるいは装置を構成する要素を含む概念である）が登録してあり、登録された機器の稼動状態や測定結果、アラーム情報等を、数値やテキスト、グラフィックなどで前記ディスプレイに表示するとともに、各機器の稼動状態等を、前記入力手段を用いて制御できるようにしてある。制御とは、例えば、シャシダイナモ装置１であれば、動作の開始／停止、負荷の設定、変更などであり、排ガス測定装置３であれば、各ガス分析計についての初期設定、測定の開始／停止、測定条件の変更、校正、ブロワ５１のＯＮ／ＯＦＦなどである。
さらにここでは、測定管理装置４は、運転モード表示装置２との間でＬＡＮ等のネットワークＮＴを介してデータの授受を行い、運転モード表示装置２の制御やデータ取得を行うことができる制御部も備えているが、これに限られることなく、測定管理装置４とは別に、運転モード表示装置２の制御部を設けてもよい。
【００２４】
運転モード表示装置２は、ＣＰＵやメモリを有した本体部と、テストドライバーが視認できるように車両内外の例えばフロントウィンドウ近傍に設置されたディスプレイと、入力手段とを具備したものであり、テストドライバーが前記運転モードで車両を走行させるときに用いられる。なお、ここでの入力手段は、例えばディスプレイに一体に付帯させたタッチパネルやリモコンである。
【００２５】
具体的にこのものは、図２に示すように、ディスプレイの画面上に、時間を縦軸、車速を横軸にそれぞれとったグラフＧ１（軸が逆でも構わない。）を示し、このグラフＧ１上に前記運転モードによって定められた走行速度パターンＳ、該走行速度パターンＳからの許容幅Ｈ、及び現時点での車速を示すマーカーＰを表示するようにしたものである。なお、この図２のグラフＧ１において、上方向が未来側である。
【００２６】
このグラフＧ１の縮尺は、走行速度パターンＳによって決まる最高速度（プラス所定値）が車速軸のフルスケールとなるようにこの運転モード表示装置２が自動設定する。なお、ここでは、その他の情報としてグラフＧ１の側方に、走行速度パターン全体図Ｗと試験進行状況を表示するとともに、下方に試験時間（Trace time）や実車速、Phase、Violationsなどを数値で表示するようにしている。
【００２７】
走行速度パターンＳ及び許容幅Ｈは、予めメモリに登録されているものであるが、ここでは、運転モード表示装置２の制御部を有する測定管理装置４の入力手段において、テストドライバー等のユーザが、新たに登録したり変更したりすることが可能なようにしてある。
実車速は、シャシダイナモ装置１からダイナモローラ速度を取得しこれを車両Ｖの速度に変換することによって得ている。
【００２８】
その他、この運転モード表示装置２は、車両情報取得装置７等を介してエンジン回転数、ＷＯＴ（スロットル開度）、ブースト圧、大気圧、乾球温度、湿球温度などを受信し、内部のコンピュータでそれらを処理して、図示していないが、数値形式やグラフ形式でディスプレイの画面上に表示することもできる。
【００２９】
しかして、この実施形態における運転モード表示装置２は、図３に示すように、前記グラフＧ１における現時点を中心にした前後所定時間内の特定領域Ｅを、車速軸方向にのみ拡大して表示することが可能なように構成してある。拡大された特定領域Ｅの前後は、通常の縮尺、つまり車速軸がフルスケールで表される縮尺による通常表示領域Ｎである。
【００３０】
この図３に示すグラフＧ１’と前述した図２に示すグラフＧ１とは、図示しない設定画面において切り替え可能に構成してある。例えば、走行速度パターンＳの最高速度が高く、フルスケールが大きくなって相対的に許容幅Ｈが小さく表示されると予測される場合に、ユーザは、画面を図３の表示態様となるように、走行試験前に予め設定することができる。なお、これを自動で切り替えるようにしても構わない。具体的には、車速軸のフルスケールから判断して、許容幅Ｈの画面上での表示寸法が所定の閾値以下となる場合には、走行試験前に、図３のグラフＧ１’による表示態様となるように、この運転モード表示装置２が自動設定するように構成すればよい。
【００３１】
前記特定領域Ｅの表示縮尺は、前記設定画面において適宜定めることができるようにしてあるが、例えば、許容幅Ｈが画面上で常に一定寸法となるように、特定領域Ｅの表示縮尺を自動設定するようにしても構わない。特定領域Ｅの現時点に対する前後それぞれの時間幅の設定も、ユーザが適宜定められるようにしてもよいし、固定にしてもよい。
【００３２】
また、特定領域Ｅの拡大中心は、通常表示領域Ｎとの未来側の境界線と、通常表示領域Ｅの走行速度パターンＳとが交わるポイントにしてある。このように構成することにより、特定領域Ｅに表示される走行速度パターンＳと、該特定領域Ｅの未来側に隣接する通常表示領域Ｎに表示される走行速度パターンＳとが連続するので、テストドライバーが走行速度パターンＳの動きを見やすくなる。
【００３３】
さらに、この実施形態では、車速がフルスケールの所定範囲内にまで近づくと、この運転モード表示装置２が、図４（２）に示すように、現時点での走行速度パターンＳがグラフＧ１’の車速軸幅における中心近傍となるように、車速軸を図４（１）に示す初期表示状態からスクロールして、図４（２）に示す表示態様にする。一方、実車速が前記所定範囲から外れると、図４（１）の初期表示状態に戻す。
【００３４】
これは、車速が走行速度パターンＳの最高速度付近になると、走行速度パターンＳがグラフＧ１’の端部に移動し、その部分を単純に拡大すると、図４（１）に示すように、許容幅Ｈの部分が切れて表示されない領域が発生するからである。
【００３５】
しかして、以上のようなものであれば、走行速度パターンＳの最高速度が大きい場合などの理由から車速軸のフルスケールが大きくなって、相対的に走行速度パターンＳの許容幅Ｈが狭く表示されても、現時点を中心にした前後所定時間内の特定領域Ｅが車速軸方向に拡大されて許容幅Ｈが大きく表示されるため、テストドライバーにとって走行速度パターンＳに沿った運転がやりやすくなる。
【００３６】
一方、この実施形態では、許容幅Ｈ内で車両Ｖが運転されている場合であっても、将来的に許容幅Ｈを超えると予測される所定条件が満たされたときには、この運転モード表示装置２がワーニングを発するように構成してある。このワーニングは、画面表示、音声など、種々の手段を用いることができる。
【００３７】
前記所定条件は、少なくとも、実車速、実加速度、走行速度パターンが示す基準速度、走行速度パターンから求められる基準加速度及び前記許容幅をパラメータとして定められている。
【００３８】
以下にワーニングが発される具体的な条件の第１例（請求項で言う第１条件）について説明する。
まず、設定項目（ユーザによる設定又は固定値）として次のようなものがある。
Ａ．上限判断開始速度（％）
許容幅Ｈ内でなおかつ基準速度よりも所定値だけ高い速度が設定される（図５参照）。ここでは、基準速度よりも上限側の許容幅に対する割合（％）で設定し、実車速がこれを超えた時点で、後述するワーニングを発するための予測を開始する。
Ｂ．下限判断開始速度（％）
許容幅Ｈ内でなおかつ基準速度よりも所定値だけ低い速度が設定される（図５参照）。ここでは、基準速度よりも下限側の許容幅に対する割合（％）で表され、これを下回った時点で、後述するワーニングを発するための予測を開始する。
Ｃ．猶予判定回数
【００３９】
次に、第１条件について具体的に説明する。
図６〜図８に示すように、上限判断開始速度を超えたタイミング又は下限判断開始速度を下回ったタイミングｔ１から、第１条件を満たすかどうかの判断を開始する。
【００４０】
その判断のために、前記タイミングｔ１から一定期間ごとに実車速及び基準速度のサンプリングを開始する。
【００４１】
そして、あるサンプリングタイミングｔｎ（第１の時刻、ｎは１以上の整数）での実加速度Ａｎと、次のサンプリングタイミングｔｎ＋１（第２の時刻）での実加速度Ａｎ＋１とを比較して、下記式（１）が満たされたとき、ワーニングを発する。
｜Ａｎ−Ａｓｔｄｎ｜＜｜Ａｎ＋１−Ａｓｔｄｎ＋１｜・・・（１）
ここで、Ａｓｔｄｎは、タイミングｔｎでの基準加速度である。
【００４２】
なお、ｔｎでの実加速度Ａｎは、ｔｎ＋１での実車速ＶＳｎ＋１からｔｎでの実車速ＶＳｎを差し引いた値を、その間の時間ｔｎ＋１−ｔｎで割ることによって求めている。基準加速度についても同様である。
図６〜８では、ｎ＝１〜３を例にしている。
【００４３】
この第１例では、実車速が上限判断開始範囲を超えたとき又は下限判断開始範囲を下回った場合には、一定周期で実車速をサンプリングし、あるサンプリングのタイミングから次のタイミングまでの期間において、実車速が走行速度パターンＳの示す基準速度に対して離れていく度合いよりも、さらにその次のタイミングまでの間に、実車速が走行速度パターンＳの示す基準速度に対して離れていく度合いの方が大きいという条件が満たされれば、ワーニングを発するようにしてある。
【００４４】
また、これを言い換えると、前記走行速度パターンが示す基準速度と実車速との辺差が時間経過に連れて広がる場合には、ワーニングを発するようにしてあるとも言える。
【００４５】
ただし、ここでは、前記条件（例えば式１）が満たされても、それが、猶予判定回数以内であれば、ワーニングは発さない。すなわち、サンプリングタイミングごとに、前記条件を満たすかどうかの判断を行うが、満たすという判断結果が、猶予判定回数を超えて連続して生じた場合において、初めてアラームが発される。また、モードタイプ（加速、減速、定速）が変化した時点で猶予回数はリセットされるようにしてある。以上が第１条件である。
【００４６】
次に、ワーニングが発される別の具体的な条件の第２例（第２条件）について説明する。
【００４７】
ここでは、図９に示すように、実車速が上限判断開始範囲を超えた場合又は下限判断開始範囲を下回った場合には、一定周期で実車速をサンプリングし始め、あるサンプリングのタイミングｔｎでの実加速度を維持した場合に、実車速が許容幅Ｈを超えるまでの時間Ｄ（時刻で言えばｔｐ）を予測算出する。そしてこの予測時間Ｄが、予め定めた許容時間を下回った場合には、ワーニングを発するというものである。加速度の定義は、第１例と同じである。
【００４８】
ただし、第１例同様、この条件が満たされても、それが、猶予判定回数以内であればアラームは発さない。すなわち、サンプリングタイミングごとに、前記条件を満たすかどうかの判断を行うが、満たすという判断結果が、猶予判定回数を超えて連続して生じた場合において、初めてアラームが発される。また、予測時間経過後、現時点とモードタイプ（加速、減速、定速）が変化する場合には、判断しない。以上が第２条件である。
【００４９】
なお、上述した各例において、途中で実車速が上限判断開始範囲を超えた場合又は下限判断開始範囲を下回った場合には、すぐにワーニングとは異なる態様でのアラームが発せられる。
【００５０】
このような構成であると、ワーニングによって実車速が許容幅Ｈを超えることを未然に防止でき、テストドライバーがより確実に許容幅Ｈ内での走行速度パターンＳに沿った運転ができるようになる。
【００５１】
また、実車速が上限判断開始範囲又は下限判断開始範囲を超えた場合に限って、ワーニングを発するための予測を始めるので、ワーニング頻度を最小限に留めることができ、テストドライバーに無用のストレスを与えないようにすることができる。猶予判定回数についても同様である。
【００５２】
なお、本発明は、上記実施形態に限られるものではない。
例えば、走行速度パターンが最高速に近づいたときに、グラフの車速軸をスクロールするという構成は、図２に示す通常表示状態においても適用可能である。
【００５３】
運転モード表示装置には、コンソール機能だけを残して、実質的な演算回路は、測定管理装置に担わせても良い。このようにすれば、データの一元管理が可能になる。
その他、本発明は前記実施形態に限られず、その趣旨を逸脱しない範囲で種々の変形が可能であるのは言うまでもない。
【符号の説明】
【００５４】
２・・・車両モード表示装置
Ｇ１、Ｇ１’・・・グラフ
Ｓ・・・走行速度パターン
Ｈ・・・許容幅
Ｅ・・・特定領域
Ｎ・・・通常表示領域
【図１】
2015064203.tif 000003
【図２】
2015064203.tif 000004
【図３】
2015064203.tif 000005
【図４】
2015064203.tif 000006
【図５】
2015064203.tif 000007
【図６】
2015064203.tif 000008
【図７】
2015064203.tif 000009
【図８】
2015064203.tif 000010
【図９】
2015064203.tif 000011
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
各軸に時間と車速とをそれぞれとったグラフ上に、走行速度パターン、該走行速度パターンの許容幅及び現時点での車速を表すようにした画面を有する車両運転モード表示装置において、
前記許容幅内で車両が運転されている場合において、下記第１条件又は第２条件を満たすかどうかを判断し、満たしたときにワーニングを発することを特徴とする車両運転モード表示装置。
第１条件：前記走行速度パターンが示す基準速度と前記車速との差が時間経過に連れて広がる場合。
第２条件：現時点での加速度を維持したと仮定したときに、車速が前記許容幅を所定の許容時間内に超える場合。
【請求項２】
前記第１条件は、第１の時刻における実加速度及び走行速度パターンから求められる基準加速度の差よりも、前記第１の時刻から所定時間経過した第２の時刻における実加速度及び走行速度パターンから求められる基準加速度との差の方が大きい場合である請求項１記載の車両運転モード表示装置。
【請求項３】
前記第２条件は、第１の時刻における実加速度を維持した場合に、実車速が前記許容幅を超えるまでに要する予測時間が、前記許容時間を下回った場合である請求項１記載の車両運転モード表示装置。
【請求項４】
前記車速が、前記許容幅内でかつ走行速度パターンが示す基準速度よりも所定値だけ高い速度である上限判断開始速度と、前記許容幅内でかつ走行速度パターンが示す基準速度よりも所定値だけ低い速度である下限判断開始速度との間に維持されている場合は、前記判断は行わない請求項１記載の車両モード表示装置。
【請求項５】
前記グラフにおける現時点を中心にした前後所定時間内の特定領域を、車速軸方向に拡大して表示するものであることを特徴とする請求項１乃至４いずれか記載の車両モード表示装置。
【請求項６】
現時点での走行速度パターンがグラフの車速軸幅における中心近傍となるように、グラフの車速軸をスクロールする又はスクロール可能なものであることを特徴とする請求項１乃至５いずれか記載の車両モード表示装置。
【請求項７】
前記特定領域に表示される走行速度パターンと、該特定領域の未来側に隣接する通常表示領域での走行速度パターンとが連続するように、該特定領域が拡大されていることを特徴とする請求項５記載の車両モード表示装置。
【請求項８】
各軸に時間と車速とをそれぞれとったグラフ上に、走行速度パターン、該走行速度パターンの許容幅及び現時点での車速を表すようにした画面を表示するとともに、前記許容幅内で車両が運転されている場合において、下記第１条件又は第２条件を満たすかどうかを判断し、満たしたときにワーニングを発する機能を車両運転モード表示装置に発揮させることを特徴とするプログラム。
第１条件：前記走行速度パターンが示す基準速度と前記車速との差が時間経過に連れて広がる場合。
第２条件：現時点での加速度を維持したと仮定したときに、車速が前記許容幅を所定の許容時間内に超える場合。